(57)【要約】【課題】  ユーザーが天面部を立体的な装飾体で容易に飾ることができるティッシュボックスを提供する。【解決手段】  本考案に係るティッシュボックス１は、天面部２、底面部３及び側面部４，５，６，７を有する直方体の箱状を呈し、内部にティッシュペーパーを収容するもので、天面部２には、ティッシュペーパーの取出口が設けられ、天面部２の辺１２，１４，１６には、辺１２，１４，１６を軸として起立及び伏倒が可能な蓋面部１８，２５，３３が連設され、蓋面部１８，２５，３３には、ミシン目１９，２７，３５で区画された装飾体構成部２０，２８，３６が設けられ、蓋面部１８，２５，３３が天面部２に対して起立し、かつ、装飾体構成部２０，２８，３６がミシン目１９，２７，３５で切り取られてなる装飾体が蓋面部１８，２５，３３の少なくとも一部と同一面内にない状態で使用される。【選択図】  図３
0003235085.tif 000002
【実用新案登録請求の範囲】
【請求項１】
天面部、底面部及び側面部を有する直方体の箱状を呈し、内部にティッシュペーパーを収容するティッシュボックスであって、
前記天面部には、前記ティッシュペーパーの取出口が設けられ、
前記天面部の一辺には、前記一辺を軸として起立及び伏倒が可能な蓋面部が連設され、
前記蓋面部には、ミシン目で区画された装飾体構成部が設けられ、
前記蓋面部が前記天面部に対して起立し、かつ、前記装飾体構成部が前記ミシン目で切り取られてなる装飾体が前記蓋面部の少なくとも一部と同一面内にない状態で使用されることを特徴とするティッシュボックス。
【請求項２】
前記装飾体は、前記蓋面部の折曲げにより、前記蓋面部の少なくとも一部と同一面内にない状態となることを特徴とする請求項１に記載のティッシュボックス。
【請求項３】
前記装飾体は、装飾用の図柄が両面印刷されていることを特徴とする請求項１又は請求項２に記載のティッシュボックス。
【請求項４】
前記蓋面部は複数設けられ、各蓋面部は前記天面部の前記一辺を含む複数の辺に連設されていることを特徴とする請求項１乃至請求項３のいずれか１項に記載のティッシュボックス。
【請求項５】
前記複数の辺は前記天面部の前記一辺と直交する辺を含み、
前記一辺と直交する辺に連設された蓋面部には、前記一辺に連接された蓋面部との起立状態における干渉を防止する切欠部が設けられていることを特徴とする請求項４に記載のティッシュボックス。
【考案の詳細な説明】
【技術分野】
【０００１】
本考案は、直方体の箱状を呈して内部にティッシュペーパーを収容するティッシュボックスに関する。
【背景技術】
【０００２】
ティッシュペーパーの販売を促進するために、ティッシュペーパーを収容する直方体状のティッシュボックスにキャラクター等の装飾が印刷されることがある。このような装飾は、販売時にユーザーの目に留まりやすいティッシュボックスの側面部を中心に印刷されることが多い一方、ユーザーが購入後にティッシュペーパーを使用する際には、ティッシュボックスを上方から見下ろすことも多く、側面部を中心に印刷された装飾が必ずしも見やすいわけではなかった。
【０００３】
また、ティッシュボックスを収容するティッシュボックス収容箱であって、ティッシュボックスの天面部（上面部）の側にキャラクター等の立体装飾部が設けられたものとして、例えば特許文献１に記載の贈答用ティッシュボックス収容箱がある。この贈答用ティッシュボックス収容箱は、紙製で一体的に形成された外蓋部、中蓋部及びティッシュボックス収容部を備え、外蓋部と中蓋部との間を架け渡すように立体装飾部が形成され、立体装飾部は、折り曲げ片と、折り曲げ片に固定される装飾体とから構成されている。折り曲げ片は、外蓋部から中蓋部にわたって形成された２本の切り込みの両方の端部と中間部とが幅方向に折り曲げられることによって形成され、装飾体は、それが印刷されたシートから切り取られ、裏面に両面テープが貼られて折り曲げ片に固定される。
【先行技術文献】
【特許文献】
【０００４】
【特許文献１】実用新案登録第３２００６３０号公報
【考案の概要】
【考案が解決しようとする課題】
【０００５】
ところで、特許文献１では、ユーザーは装飾体をシートから切り取って両面テープで折り曲げ片に貼らなければならず、こうした手間は、ティッシュボックスを入れ替えて長期間使用するティッシュボックス収容箱については、許容されるのかもしれない。しかし、同様の立体装飾部を、ティッシュペーパーがなくなる度に新しくなるティッシュボックスの天面部に採用しても、装飾体の切り貼りの手間が面倒で、結局は天面部に装飾体が飾られないおそれがある。
【０００６】
本考案は、上記の事情に鑑みてなされたもので、ユーザーが天面部を立体的な装飾体で容易に飾ることができるティッシュボックスを提供することを課題としている。
【課題を解決するための手段】
【０００７】
上記課題を解決するために、本考案は、天面部、底面部及び側面部を有する直方体の箱状を呈し、内部にティッシュペーパーを収容するティッシュボックスであって、前記天面部には、前記ティッシュペーパーの取出口が設けられ、前記天面部の一辺には、前記一辺を軸として起立及び伏倒が可能な蓋面部が連設され、前記蓋面部には、ミシン目で区画された装飾体構成部が設けられ、前記蓋面部が前記天面部に対して起立し、かつ、前記装飾体構成部が前記ミシン目で切り取られてなる装飾体が前記蓋面部の少なくとも一部と同一面内にない状態で使用されることを特徴とする。
【０００８】
前記装飾体は、前記蓋面部の折曲げにより、前記蓋面部の少なくとも一部と同一面内にない状態となってもよく、装飾用の図柄が両面印刷されていてもよい。
【０００９】
また、前記蓋面部は複数設けられ、各蓋面部は前記天面部の前記一辺を含む複数の辺に連設されていてもよい。このとき、前記複数の辺は前記天面部の前記一辺と直交する辺を含み、前記一辺と直交する辺に連設された蓋面部には、前記一辺に連接された蓋面部との起立状態における干渉を防止する切欠部が設けられていてもよい。
【考案の効果】
【００１０】
本考案に係るティッシュボックスによれば、ユーザーが天面部を立体的な装飾体で容易に飾ることができるという効果を奏する。
【図面の簡単な説明】
【００１１】
【図１】本考案の実施の形態に係るティッシュボックスで三つの蓋面部が伏倒して積層された状態を示す説明図である。
【図２】図１のティッシュボックスで一つの蓋面部が起立した状態を示す説明図である。
【図３】図１のティッシュボックスで三つの蓋面部が起立した状態を示す説明図である。
【図４】図４の三つの蓋面部を折曲線に沿って折り曲げた状態を示す説明図である。
【図５】図５の三つの蓋面部の差込片が天面部の切込みに差し込まれた状態を示す説明図である。
【図６】図５のティッシュボックスで切取部が切り取られ、ティッシュペーパーが取出可能となった状態を示す説明図である。
【図７】図１のティッシュボックスの展開図である。
【図８】本考案の実施の形態に係る他のティッシュボックスで蓋面部が三つ折りで伏倒した状態を示す説明図である。
【図９】図８のティッシュボックスで蓋面部が起立した状態を示す説明図である。
【図１０】図９の蓋面部の差込片が天面部の切込みに差し込まれた状態を示す説明図である。
【図１１】図８のティッシュボックスの展開図である。
【考案を実施するための形態】
【００１２】
本考案の実施の形態について、図面に基づいて説明する。
【００１３】
図１乃至図６に示すように、本実施の形態に係る紙製のティッシュボックス１は、天面部２、底面部３、側面部４、側面部５、側面部６及び側面部７を有する直方体の箱状を呈し、内部にティッシュペーパー８を収容する。
【００１４】
天面部２には、ミシン目９で区画された切取部１０が設けられ、切取部１０が切り取られることにより、ティッシュペーパー８の取出しに供する取出口１１が形成される。
【００１５】
天面部２には、長手方向の辺１２（天面部２と側面部４との交線）と平行に一対の切込み１３が設けられ、辺１２と直交する辺１４（天面部２側面部５との交線）と平行に切込み１５が設けられ、辺１２と直交する辺１６（天面部２と側面部７との交線）と平行に切込み１７が設けられている。
【００１６】
天面部２の辺１２には、辺１２を軸として起立及び伏倒が可能な蓋面部１８が連設されている。蓋面部１８は、天面部２と同一の長方形状を呈し、蓋面部１８には、ミシン目１９で区画されてキャラクター等の装飾用の図柄が両面印刷で描かれた装飾体構成部２０と、ミシン目２１で区画された一対の差込片構成部２２と、ミシン目１９に接続されて蓋面部１８の折曲げを容易とする折曲線２３と、ミシン目２１に接続されて蓋面部１８の折曲げを容易とする折曲線２４とが設けられている。
【００１７】
天面部２の辺１４には、辺１４を軸として起立及び伏倒が可能な蓋面部２５が連設されている。蓋面部２５は、辺１４の長さと同一長の四辺を有する正方形が切欠部２６により切り欠かれた形状を呈し、蓋面部２５には、ミシン目２７で区画されてキャラクター等の装飾用の図柄が両面印刷された装飾体構成部２８と、ミシン目２９で区画された差込片構成部３０と、ミシン目２７に接続されて蓋面部２５の折曲げを容易とする折曲線３１と、ミシン目２９に接続されて蓋面部２５の折曲げを容易とする折曲線３２とが設けられている。
【００１８】
天面部２の辺１６には、辺１６を軸として起立及び伏倒が可能な蓋面部３３が連設されている。蓋面部３３は、辺１６の長さと同一長の四辺を有する正方形が切欠部３４により切り欠かれた形状を呈し、蓋面部３３には、ミシン目３５で区画されてキャラクター等の装飾用の図柄が両面印刷された装飾体構成部３６と、ミシン目３７で区画された差込片構成部３８と、ミシン目３５に接続されて蓋面部３３の折曲げを容易とする折曲線３９と、ミシン目３７に接続されて蓋面部３３の折曲げを容易とする折曲線４０とが設けられている。
【００１９】
図７に示すように、ティッシュボックス１の展開図は、紙製のシートに天面部２、底面部３、側面部４、側面部５、側面部６、側面部７、蓋面部１８、蓋面部２５及び蓋面部３３に対応する部分（図７において、天面部２に対応する部分に符号２を付し、他の部分についても同様に符号を付している。）が設けられてなり、天面部２に対応する部分には、側面部４に対応する部分にのりづけされるのりしろ４１と、側面部５に対応する部分にのりづけされるのりしろ４２と、側面部７に対応する部分にのりづけされるのりしろ４３とが連設されている。
【００２０】
また、側面部４に対応する部分には、側面部５に対応する部分にのりづけされるのりしろ４４と、側面部７に対応する部分にのりづけされるのりしろ４５とが連設され、側面部６に対応する部分には、側面部５に対応する部分にのりづけされるのりしろ４６と、側面部７に対応する部分にのりづけされるのりしろ４７とが連設され、のりしろ４５及びのりしろ４７は、他ののりしろがのりづけされて略箱状になったティッシュボックス１の内部にティッシュペーパー８が収容された後に、側面部７にのりづけされる。
【００２１】
ティッシュボックス１は、天面部２の上に蓋面部２５、蓋面部３３及び蓋面部１８が伏倒して積層された状態で輸送され、店舗等で販売される（図１）。
【００２２】
ティッシュボックス１を購入したユーザーは、使用時に、蓋面部１８、蓋面部２５及び蓋面部３３を起立させ（図２及び図３）、蓋面部１８については、ミシン目１９及びミシン目２１を切り取り、蓋面部１８を外側（図３の紙面裏側）から見て折曲線２３及び折曲線２４で山折りして、装飾体構成部２０から装飾体４８を、一対の差込片構成部２２から一対の差込片４９を形成する（図４）。同様に、ユーザーは、蓋面部２５については、ミシン目２７及びミシン目２９を切り取り、蓋面部１８を外側から見て折曲線３１及び折曲線３２で山折りして、装飾体構成部２８から装飾体５０を、差込片構成部３０から差込片５１を形成し、蓋面部３３については、ミシン目３５及びミシン目３７を切り取り、蓋面部３３を外側から見て折曲線３９、折曲線４０で山折りして、装飾体構成部３６から装飾体５２を、差込片構成部３８から差込片５３を形成する。装飾体４８は、蓋面部１８の辺１２と折曲線２３との間の部分５４と同一面内にない状態となって立体的になり、装飾体５０は、蓋面部２５の辺１４と折曲線３１との間の部分５５と同一面内にない状態となって立体的になり、装飾体５２は、蓋面部３３の辺１６と折曲線３９との間の部分５６と同一面内にない状態となって立体的になる。
【００２３】
そして、ユーザーは、差込片４９を切込み１３に差し込み折り曲げた蓋面部１８を起立させ、差込片５１を切込み１５に差し込み折り曲げた蓋面部２５を起立させ、差込片５３を切込み１７に差し込み折り曲げた蓋面部３３を起立させる（図５）。この際、蓋面部２５に切欠部２６が設けられ、蓋面部３３に切欠部３４が設けられていることにより、蓋面部２５及び蓋面部３３と蓋面部１８との干渉が防止される。
【００２４】
さらに、ユーザーは、ミシン目９を切り取って切取部１０を除去し、ティッシュペーパー８を取出口１１から取出可能とすることによって（図６）、使用時のティッシュボックス１を天面部２が立体的な装飾体４８、装飾体５０及び装飾体５２で飾られたものとすることができる。
【００２５】
本実施の形態に係るティッシュボックス１では、天面部２の辺１２，１４，１６に、辺１２，１４，１６を軸として起立及び伏倒が可能な蓋面部１８，２５，３３が連設され、蓋面部１８，２５，３３に、ミシン目１９，２７，３５で区画された装飾体構成部２０，２８，３６が設けられ、蓋面部１８，２５，３３が天面部２に対して起立し、かつ、装飾体構成部２０，２８，３６がミシン目１９，２７，３５で切り取られてなる装飾体４８，５０，５２が蓋面部１８，２５，３３の少なくとも一部と同一面内にない状態で使用される。つまり、ティッシュボックス１によれば、ユーザーは、蓋面部１８，２５，３３の起立やミシン目１９，２７，３５の切取り、あるいは、（この切取りに付随した）蓋面部１８，２５，３３の折曲げといった容易な作業によって、天面部２を立体的な装飾体４８，５０，５２で飾ることができる。
【００２６】
この実施の形態では、装飾体４８，５０，５２には、キャラクター等の装飾用の図柄が両面印刷されているので、ユーザーがティッシュボックス１の周囲のどこにいても、その装飾用の図柄を見ることができる。
【００２７】
また、三つの蓋面部１８，２５，３３が設けられ、蓋面部１８，２５，３３は天面部２の辺１２，１４，１６に連設されているが、上記のとおり、装飾体４８，５０，５２のそれぞれは容易な作業によって立体的に飾ることができるので、装飾体が複数あってもユーザーによる装飾作業は容易である。
【００２８】
以上、本考案の実施の形態について例示したが、本考案の実施の形態は上述したものに限られず、考案の趣旨を逸脱しない範囲で適宜変更等してもよい。
【００２９】
例えば、図１乃至図７の各部と対応する部分に同一の符号を付した図８乃至図１１に示すように、ティッシュボックス１を、蓋面部２５，３３を廃して蓋面部１８の構成を異ならせたものとしてもよい。
【００３０】
図８乃至図１１において、天面部２には、辺１２と対向する辺５７と平行に一対の切込み５８が設けられ、蓋面部１８には、円弧状のミシン目５９及び直線状のミシン目６０で区画されてキャラクター等が描かれた一対の装飾体構成部６１と、半円弧状のミシン目６２で区画された一対の差込片構成部６３と、蓋面部１８の略三等分の折曲げを容易とする折曲線６４及び折曲線６５と、装飾体構成部６１の折曲げを容易とする折曲線６６、折曲線６７及び折曲線６８と、ミシン目９と略同形に開口する開口６９とが設けられている。
【００３１】
このティッシュボックス１は、天面部２の上に折曲線６４及び折曲線６５で三つ折りにされた蓋面部１８が伏倒した状態で輸送され、店舗等で販売される（図８）。
【００３２】
ティッシュボックス１を購入したユーザーは、使用時に、蓋面部１８を開いてミシン目５９及びミシン目６０を切り取り、装飾体構成部６１を表側（図９の紙面手前側）から見て折曲線６６及び折曲線６８で谷折りするとともに折曲線６７で山折りして、装飾体構成部６１から装飾体７０を形成する（図９）。このとき、蓋面部１８の辺１２から折曲線６４を経て折曲線６５にかけての部分が起立し、装飾体７０は、蓋面部１８の折曲線６４と折曲線６５との間の部分７１、及び、折曲線６５と蓋面部１８の先縁部７２との間の部分７３と同一面内にない状態となって立体的になる。
【００３３】
また、ユーザーは、ミシン目６２を切り取って一対の差込片構成部６３から一対の差込片７４を形成し、差込片７４を切込み５８に差し込み、開口６９を通してミシン目９を切り取って切取部１０を除去することによって、ティッシュペーパー８を取出口１１から取出可能とすることができる（図１０）。
【符号の説明】
【００３４】
１    ティッシュボックス
２    天面部
３    底面部
４    側面部
５    側面部
６    側面部
７    側面部
８    ティッシュペーパー
１１  取出口
１２  辺（一辺）
１４  辺
１６  辺
１８  蓋面部
１９  ミシン目
２０  装飾体構成部
２５  蓋面部
２６  切欠部
２７  ミシン目
２８  装飾体構成部
３３  蓋面部
３４  切欠部
３５  ミシン目
３６  装飾体構成部
４８  装飾体
５０  装飾体
５２  装飾体
５９  ミシン目
６０  ミシン目
６１  装飾体構成部
７０  装飾体
【図１】
0003235085.tif 000003
【図２】
0003235085.tif 000004
【図３】
0003235085.tif 000005
【図４】
0003235085.tif 000006
【図５】
0003235085.tif 000007
【図６】
0003235085.tif 000008
【図７】
0003235085.tif 000009
【図８】
0003235085.tif 000010
【図９】
0003235085.tif 000011
【図１０】
0003235085.tif 000012
【図１１】
0003235085.tif 000013